(57)【要約】  ユーザ機器の測定を制御する方法、機器及びシステムを提供する。該方法は、無線ネットワークコントローラがＵＥがＡＮＲ測定を行う最長時間を携帯したＡＮＲ測定配置メッセージをＵＥへ送信することと、ＵＥがＡＮＲ測定配置メッセージを受信し、ＡＮＲ測定を行って、測定時間を計測し、測定結果を保存することと、上記測定時間が最長時間に達した場合、ＵＥがＡＮＲ測定配置メッセージを削除することを含む。本発明によると、ＵＥが長い時間測定しても条件に合う情報がない場合、測定を継続する必要があるか否か又は如何に測定するかについて何の具体的な処理方法もない問題を解決でき、ＵＥがずっと測定状態であることを避ける事ができ、リソースを節約できる。
2014506090.tif 000002
【特許請求の範囲】
【請求項１】
無線ネットワークコントローラは、ＵＥがＡＮＲ測定を行う最長時間を携帯したＡＮＲ測定配置メッセージを前記ＵＥへ送信するステップと、
前記ＵＥは、前記ＡＮＲ測定配置メッセージを受信し、ＡＮＲ測定を行って、測定時間を計測し、測定結果を保存するステップと、
前記測定時間が前記最長時間に達した場合、前記ＵＥは前記ＡＮＲ測定配置メッセージを削除するステップと、
を含む、ユーザ機器の測定を制御する方法。
【請求項２】
前記ＵＥは、前記ＡＮＲ測定配置メッセージを受信し、ＡＮＲ測定を行って、測定時間を計測し、測定結果を保存した後、前記ＡＮＲ測定配置メッセージを削除する前に、取得した測定結果を前記無線ネットワークコントローラに通知するステップをさらに含む、請求項１に記載の方法。
【請求項３】
前記ＵＥが取得した測定結果を前記無線ネットワークコントローラに通知した後、前記無線ネットワークコントローラは前記測定結果に基づいて隣接セル配置を更新するステップをさらに含む、請求項２に記載の方法。
【請求項４】
前記無線ネットワークコントローラが前記測定結果に基づいて隣接セル配置を更新するステップは、
前記無線ネットワークコントローラが前記測定結果を解析し、前記測定結果に含まれたセルのセル情報通知回数が設定された回数に達した場合、当該セルを隣接セルとして配置するステップを含む、請求項３に記載の方法。
【請求項５】
前記無線ネットワークコントローラが前記測定結果に基づいて隣接セル配置を更新した後、該セル内の他のＵＥが更新後の隣接セル配置に基づいて、信号が該セルの信号より良好な他のセルに切り替えるステップをさらに含む、請求項３又は４に記載の方法。
【請求項６】
前記ＡＮＲ測定配置メッセージが、測定した物理量をさらに含む、請求項１に記載の方法。
【請求項７】
前記測定した物理量が、共通パイロットチャネルチップエネルギーと帯域制限白色雑音電力スペクトル密度との比と、共通パイロットチャネルの受信信号コード電力と、メイン共通制御物理チャネルの受信信号コード電力と、タイムスロット信号コード電力干渉パスロスとの中の少なくとも一つを含む、請求項６に記載の方法。
【請求項８】
前記ＵＥが前記ＡＮＲ測定配置メッセージを削除した後、前記無線ネットワークコントローラは、前記ＵＥが再びＡＮＲ測定を行う必要があると確定した場合、今回前記ＵＥがＡＮＲ測定を行う最長時間を携帯したＡＮＲ測定配置メッセージを前記ＵＥへ再度送信するステップをさらに含む、請求項１、２、３、４、６、７の中のいずれかに記載の方法。
【請求項９】
前記ＵＥは測定結果を保存した後、前記ＵＥは、前記無線ネットワークコントローラが指示した周期的に通知する測定通知方式に基づいて、周期的に前記測定結果を通知することをさらに含み、その中、前記無線ネットワークコントローラが前記ＵＥへ周期的な通知を指示する測定通知方式を前記ＡＮＲ測定配置メッセージに携帯する、請求項１、２、３、４、６、７の中のいずれかに記載の方法。
【請求項１０】
前記無線ネットワークコントローラが前記ＵＥへ指示した周期的に通知する測定通知方式は、
前記ＡＮＲ測定配置メッセージにその値が周期的通知を取る信号エレメントを携帯すると同時に通知周期の長さを含む信号エレメントを携帯し、又は、
前記ＡＮＲ測定配置メッセージに通知周期の長さを含む信号エレメントを携帯するステップを含む、請求項９に記載の方法。
【請求項１１】
前記測定結果を、付加測定報告又は無線リソース制御ＲＲＣメッセージに携帯して通知し、その中、前記ＲＲＣメッセージが初期直接伝送メッセージ、測定報告、無線ネットワーク制御接続要求メッセージ、アップリンク直接伝送メッセージ、セル更新メッセージの中の一つである、請求項１０に記載の方法。
【請求項１２】
無線ネットワークコントローラとＵＥとを含むユーザ機器の測定を制御するシステムであって、
前記無線ネットワークコントローラが、ＵＥがＡＮＲ測定を行う最長時間を携帯したＡＮＲ測定配置メッセージを前記ＵＥへ送信し、
前記ＵＥが、前記ＡＮＲ測定配置メッセージを受信し、ＡＮＲ測定を行って、測定時間を計測し、測定結果を保存し、また、前記測定時間が前記最長時間に達した場合、前記ＡＮＲ測定配置メッセージを削除するユーザ機器の測定を制御する、システム。
【請求項１３】
前記ＵＥが、取得した測定結果を前記無線ネットワークコントローラへ通知する、請求項１２に記載のシステム。
【請求項１４】
前記無線ネットワークコントローラが、前記測定結果に基づいて隣接セル配置を更新する、請求項１３に記載のシステム。
【請求項１５】
前記無線ネットワークコントローラが、前記測定結果を解析し、前記測定結果に含まれたセルのセル情報通知回数が設定された回数に達した場合、当該セルを隣接セルとして配置する、請求項１４に記載のシステム。
【請求項１６】
更新後の隣接セル配置に基づいて、信号が該セルの信号より良好な他のセルに切り替えする該セル内の他のＵＥをさらに含む、請求項１４又は１５に記載のシステム。
【請求項１７】
前記無線ネットワークコントローラは、前記ＵＥが再びＡＮＲ測定を行う必要があると確定した場合、前記ＵＥへ今回前記ＵＥがＡＮＲ測定を行う最長時間を携帯したＡＮＲ測定配置メッセージを再度送信する、請求項１２乃至１５の中のいずれかに記載のシステム。
【請求項１８】
前記ＵＥが、前記無線ネットワークコントローラが指示した周期的に通知する測定通知方式に基づいて、前記測定結果を周期的に通知し、その中、前記無線ネットワークコントローラが前記ＵＥに指示した周期的に通知する測定通知方式を前記ＡＮＲ測定配置メッセージに携帯する、請求項１２乃至１５の中のいずれかに記載のシステム。
【請求項１９】
ＵＥがＡＮＲ測定を行う最長時間を携帯したＡＮＲ測定配置メッセージを生成する生成モジュールと、
前記ＵＥへ前記ＡＮＲ測定配置メッセージを送信する送信モジュールと、
を含む無線ネットワークコントローラ。
【請求項２０】
無線ネットワークコントローラから送信された、ＵＥがＡＮＲ測定を行う最長時間を携帯した自動隣接セル関係機能ＡＮＲ測定配置メッセージを受信し、ＡＮＲ測定を行って、測定時間を計測し、測定結果を保存する受信モジュールと、
前記測定時間が前記最長時間に達した場合、前記ＡＮＲ測定配置メッセージを削除する削除モジュールと、
を含むユーザ機器。
【発明の詳細な説明】
【技術分野】
【０００１】
本発明は、通信分野に関し、具体的に、ユーザ機器の測定を制御する方法、機器及びシステムに関する。
【背景技術】
【０００２】
移動ユーザのサービスの連続性を保証することは、セラル式移動通信システムの基本機能で、移動局のサービングセルの切り替えはサービスの連続性を保証する主な手段である。ユーザ機器（Ｕｓｅｒ  Ｅｑｕｉｐｍｅｎｔ、以下ＵＥと略称）の切り替えの便宜を図るため、システムは、ネットワーク側が隣接セル情報をユーザ機器へ通知できるように、それぞれのセルに隣接関係を配置しなければならない。ユーザ機器は隣接セル情報に基づいて、隣接セルを測定してから測定結果を通知する。ネットワーク側はその通知された測定結果に基づいてユーザ機器へ一つの隣接セルへ切り替えするように指示する。
【０００３】
一つのセルの周囲にどのような隣接セルがあるかはセル距離と関係があると共に、セルが位置する無線環境とも密接な関係がある。無線環境が複雑で、特に、高層建築物が密集した市街地環境において、ネットワークを計画する初期には一つのセルにどのような隣接セルを配置すべきかを判定しにくい。また、例えばシステムに一つのセルを追加する時又はセルの属性が変更した時にセルの隣接関係を即時に変更しないと、又は環境が変化したり、ネットワーク規格者が忘れたりすると、隣接セルの情報を早速更新することができなくなる。そうすると、ユーザ機器が早速他のセルへ切り替えすることができず、該セルの負荷が高すぎて、該セルの信号品質が悪くなって、干渉が酷く、又はユーザの接続が切断される等の問題が発生してしまう。従って、第３世代移動体通信システムの標準化プロジェクト（３ｒｄ  Ｇｅｎｅｒａｔｉｏｎ  Ｐａｒｔｎｅｒｓｈｉｐ  Ｐｒｏｊｅｃｔ、以下３ＧＰＰと略称）会議にて自動隣接セル関係機能（Ａｕｔｏｍａｔｉｃ  Ｎｅｉｇｈｂｏｒｉｎｇ  Ｒｅｌａｔｉｏｎｓｈｉｐ  Ｆｕｎｃｔｉｏｎ、以下ＡＮＲと略称）の課題を導入した。そのフローとして、大体、ＵＥへＡＮＲ測定配置情報を送信すること、ＵＥがＡＮＲ測定を行って情報を保存すること、ネットワーク側がＵＥの通知を必要とする時にＵＥへＡＮＲ要求通知を送信すること、及びＵＥが測定して通知することを含む。しかし、ＵＥが長い時間測定しても条件に合う情報がない場合、測定を継続する必要があるか否か又は如何に測定するかについては何の具体的な処理方法もない。
【発明の概要】
【発明が解決しようとする課題】
【０００４】
関連技術において、ＵＥが長い時間測定しても条件に合う情報がない場合、測定を継続する必要があるか否か又は如何に測定するかについて何の具体的な処理方法もない問題に対して、未だに有効な解決案を提示していない。
【課題を解決するための手段】
【０００５】
本発明は、ＵＥが長い時間測定しても条件に合う情報がない場合、測定を継続する必要があるか否か又は如何に測定するかについて何の具体的な処理方法もない問題を解決するため、ユーザ機器の測定を制御する方法、機器及びシステムを提供することを目的とする。
【０００６】
本発明の一態様によると、無線ネットワークコントローラが、ＵＥがＡＮＲ測定を行う最長時間を携帯したＡＮＲ測定配置メッセージを上記ＵＥへ送信することと、上記ＵＥが、上記ＡＮＲ測定配置メッセージを受信し、ＡＮＲ測定を行って、測定時間を計測し、測定結果を保存することと、上記測定時間が上記最長時間に達した場合、上記ＵＥが上記ＡＮＲ測定配置メッセージを削除することを含むユーザ機器の測定を制御する方法を提供する。
【０００７】
上記ＵＥは、上記ＡＮＲ測定配置メッセージを受信し、ＡＮＲ測定を行って、測定時間を計測し、測定結果を保存した後、上記ＡＮＲ測定配置メッセージを削除する前、取得した測定結果を上記無線ネットワークコントローラへ通知することをさらに含むことが好ましい。
【０００８】
上記ＵＥが取得した測定結果を上記無線ネットワークコントローラへ通知した後、上記無線ネットワークコントローラは上記測定結果に基づいて隣接セル配置を更新することをさらに含むことが好ましい。
【０００９】
上記無線ネットワークコントローラが上記測定結果に基づいて隣接セル配置を更新することは、上記無線ネットワークコントローラが上記測定結果を解析し、上記測定結果に含まれたセルのセル情報通知回数が設定された回数に達した場合、当該セルを隣接セルとして配置することを含むことが好ましい。
【００１０】
上記無線ネットワークコントローラが上記測定結果に基づいて隣接セル配置を更新した後、該セル内の他のＵＥは更新後の隣接セル配置に基づいて、信号が該セル信号より良好な他のセルに切り替えすることをさらに含むことが好ましい。
上記ＡＮＲ測定配置メッセージが、測定した物理量をさらに含むことが好ましい。
【００１１】
上記測定した物理量が、共通パイロットチャネルチップエネルギーと帯域制限白色雑音電力スペクトル密度との比と、共通パイロットチャネルの受信信号コード電力と、メイン共通制御物理チャネルの受信信号コード電力と、タイムスロット信号コード電力干渉パスロスとの中の少なくとも一つを含むことが好ましい。
【００１２】
上記ＵＥが保存していた測定結果及び上記ＡＮＲ測定配置メッセージを削除した後、上記無線ネットワークコントローラは、上記ＵＥが再びＡＮＲ測定を行う必要があると確定した場合、上記ＵＥへ、今回上記ＵＥがＡＮＲ測定を行う最長時間を携帯したＡＮＲ測定配置メッセージを再度送信することをさらに含むことが好ましい。
【００１３】
上記ＵＥは、測定結果を保存した後、上記無線コントローラが指示した周期的に通知する測定通知方式に基づいて、周期的に上記測定結果を通知することをさらに含み、その中、上記無線コントローラが上記ＵＥへ周期的な通知を指示する測定通知方式を上記ＡＮＲ測定配置メッセージに携帯する。
【００１４】
上記無線コントローラが上記ＵＥへ指示した周期的な通知の測定通知方式は、上記ＡＮＲ測定配置メッセージにその値が周期的通知を取る信号エレメントを携帯すると同時に通知周期の長さを含む信号エレメントを携帯し、又は、上記ＡＮＲ測定配置メッセージに通知周期の長さを含む信号エレメントを携帯することを含むことが好ましい。
【００１５】
上記測定結果を、付加測定報告又はＲＲＣメッセージに携帯して通知し、その中、ＲＲＣメッセージが初期直接伝送メッセージ、測定報告、無線ネットワーク制御接続要求メッセージ、アップリンク直接伝送メッセージ、セル更新メッセージの中の一つであることが好ましい。
【００１６】
本発明の他の一態様によると、無線ネットワークコントローラとＵＥとを含むユーザ機器の測定を制御するシステムであって、無線ネットワークコントローラはＵＥがＡＮＲ測定を行う最長時間を携帯したＡＮＲ測定配置メッセージを上記ＵＥへ送信するように構成され、ＵＥは上記ＡＮＲ測定配置メッセージを受信し、ＡＮＲ測定を行って、測定時間を計測し、測定結果を保存し、また、上記測定時間が上記最長時間に達した場合、上記ＡＮＲ測定配置メッセージを削除するするように構成されるユーザ機器の測定を制御するシステムを提供する。
上記ＵＥが、取得した測定結果を上記無線ネットワークコントローラへ通知することが好ましい。
上記無線ネットワークコントローラが、上記測定結果に基づいて隣接セル配置を更新することが好ましい。
【００１７】
上記無線ネットワークコントローラが、上記測定結果を解析し、上記測定結果に含まれたセルのセル情報通知回数が設定された回数に達した場合、当該セルを隣接セルとして配置することが好ましい。
上記システムが、更新後の隣接セル配置に基づいて、信号が該セル信号より良好な他のセルに切り替えする該セル内の他のＵＥをさらに含むことが好ましい。
【００１８】
上記無線ネットワークコントローラは、上記ＵＥが再びＡＮＲ測定を行う必要があると確定した場合、上記ＵＥへ今回上記ＵＥがＡＮＲ測定を行う最長時間を携帯したＡＮＲ測定配置メッセージを再度送信することが好ましい。
【００１９】
上記ＵＥは、上記無線コントローラが指示した周期的に通知する測定通知方式に基づいて、上記測定結果を周期的に通知し、その中、上記無線コントローラが上記ＵＥへ指示した周期的に通知する測定通知方式を上記ＡＮＲ測定配置メッセージに携帯することが好ましい。
【００２０】
本発明の他の一態様によると、ＵＥがＡＮＲ測定を行う最長時間を携帯したＡＮＲ測定配置メッセージを生成する生成モジュールと、上記ＵＥへ上記ＡＮＲ測定配置メッセージを送信する送信モジュールと、を含む無線ネットワークコントローラを提供する。
【００２１】
本発明の他の一態様によると、無線ネットワークコントローラから送信された、ＵＥがＡＮＲ測定を行う最長時間を携帯したＡＮＲ測定配置メッセージを受信し、ＡＮＲ測定を行って、測定時間を計測し、測定結果を保存する受信モジュールと、上記測定時間が上記最長時間に達した場合、上記ＡＮＲ測定配置メッセージを削除する削除モジュールと、を含むユーザ機器を提供する。
【００２２】
本発明の実施例において、ＵＥはＡＮＲ測定配置メッセージを受信し、ＡＮＲ測定を行って、測定時間を計測する。そして、長い時間測定しても条件に合う情報がないと、即ち、測定時間が最長時間に達した場合、ＵＥは保存していた測定結果及びＡＮＲ測定配置メッセージを削除し今回の測定を終了する。よって、ＵＥがずっと測定状態でリソースを浪費してしまうことを避けることができる。
【００２３】
ここで説明する図面は本発明を理解させるためのもので、本発明の一部を構成し、本発明における実施例と共に本発明を解釈し、本発明を不当に限定するのではない。
【図面の簡単な説明】
【００２４】
【図１】本発明の実施例に係わるユーザ機器の測定を制御する方法の第１処理を示すフローチャートである。
【図２】本発明の実施例に係わるユーザ機器の測定を制御する方法の第２処理を示すフローチャートである。
【図３】本発明の実施例に係わるユーザ機器の測定を制御する方法の第３処理を示すフローチャートである。
【図４】本発明の実施例に係わるユーザ機器の測定を制御する方法の第１実施例を示すフローチャートである。
【図５】本発明の実施例に係わるユーザ機器の測定を制御する方法の第２実施例を示すフローチャートである。
【図６】本発明の実施例に係わるユーザ機器の測定を制御するシステムの構生を示す図である。
【図７】本発明の実施例に係わる無線コントローラの構成を示す図である。
【図８】本発明の実施例に係わるユーザ機器の構成を示す図である。
【図９】本発明の実施例に係わるユーザ機器の測定を制御する方法の第４処理を示すフローチャートである。
【図１０】本発明の実施例に係わるユーザ機器の測定を制御する方法の第５処理を示すフローチャートである。
【発明を実施するための形態】
【００２５】
以下、図面を参照しつつ、実施例を結合して本発明を詳しく説明する。ここで、衝突しない限り、本発明の実施例及び実施例に記載の特徴を互いに組み合わせることができる。
【００２６】
関連技術において、３ＧＰＰ会議にＡＮＲ課題を導入していて、大体、ＵＥへＡＮＲ測定配置情報を送信し、ＵＥがＡＮＲ測定を行って情報を保存し、ネットワーク側がＵＥの通知を必要とする時にＵＥへＡＮＲ要求通知を送信し、ＵＥが測定して通知するフローである。しかし、ＵＥが長い時間測定しても条件に合う情報がない場合、測定を継続する必要があるか否か又は如何に測定するかについては何の具体的な処理方法もない。
【００２７】
上記問題を解決するため、本発明の実施例は、ユーザ機器の測定を制御する方法を提供する。そのプロセスを図１に示し、以下のステップＳ１０２〜Ｓ１０６を含む。
ステップＳ１０２において、無線ネットワークコントローラが、ＵＥへ、ＵＥがＡＮＲ測定を行う最長時間を携帯するＡＮＲ測定配置メッセージを送信する。
ステップＳ１０４において、ＵＥは、ＡＮＲ測定配置メッセージを受信した後ＡＮＲ測定を行い、また、測定時間を計測し、測定結果を保存する。
ステップＳ１０６において、測定時間が最長時間に達した場合、ＵＥは保存していた測定結果及びＡＮＲ測定配置メッセージを削除する。
【００２８】
本発明の実施例において、ＵＥは、ＡＮＲ測定配置メッセージを受信した後ＡＮＲ測定を行うと共に測定時間を計測する。そして、ＵＥは、長い時間測定しても条件に合う情報がない場合、即ち、測定時間が最長時間に達した場合、保存していた測定結果及びＡＮＲ測定配置メッセージを削除し、今回の測定を終了する。それによって、ＵＥがずっと測定状態にあるためリソースを浪費することを防止することができる。
【００２９】
図１に示すように、ＵＥは、ステップＳ１０４を実行した後、即ち、ＡＮＲ測定配置メッセージを受信してＡＮＲ測定を行って測定時間を計測し、測定結果を保存した後、ステップＳ１０６を実行する前、即ち、保存していた測定結果及びＡＮＲ測定配置メッセージを削除する前、取得した測定結果を無線ネットワークコントローラへ通知するステップをさらに行うことができる。
【００３０】
また、無線ネットワークコントローラは、ＵＥが通知した測定結果に基づいて、隣接セルの配置を更新し、信号が良好なセルを選択し、信号が悪いセルを削除することができる。理想的な配置更新方式は、例えば、無線ネットワークコントローラが取得した測定結果を解析し、測定結果に含まれたセルのセル情報通知回数が設定された回数、例えば３回、５回、１０回、又は他の回数を超えると、当該セルを隣接セルとして配置する。同様に、セルのセル情報通知回数が少な過ぎると、他の通知回数が多いセルの数で入れ替えることができる。
【００３１】
無線ネットワークコントローラが測定結果に基づいて隣接セル配置を更新した後、該セル内の他のＵＥは、更新後の隣接セル配置に基づいて信号が該セル信号より良好な他のセルに切り替えすことができる。よって、ユーザ機器が早速他のセルに切り替えでき、該セルの負荷が高すぎて該セルの信号品質が悪くなり、干渉が酷く又はユーザの接続が切断するなどの問題の発生を避けることができる。
【００３２】
実施する時、測定環境又は他の条件の違いに応じて、ＡＮＲ測定配置メッセージに他のパラメータ、例えば測定した物理量を含むことができる。測定した物理量は、共通パイロットチャネルチップエネルギーと帯域制限白色雑音電力スペクトル密度との比（Ｃｏｍｍｏｎ  Ｐｉｌｏｔ  Ｃｈａｎｎｅｌ  Ｅｎｅｒｇｙ  ｐｅｒ  ｃｈｉｐ  Ｎｏｉｓｅ  Ｒａｔｉｏ、以下ＣＰＩＣＨ  Ｅｃ/Ｎ０と略称）、及び/又は共通パイロットチャネルの受信信号コード電力（Ｃｏｍｍｏｎ  Ｐｉｌｏｔ  Ｃｈａｎｎｅｌ  Ｒｅｃｅｉｖｅｄ  Ｓｉｇｎａｌ  Ｃｏｄｅ  Ｐｏｗｅｒ、以下ＣＰＩＣＨ  ＲＳＣＰと略称）、及び/又はメイン（Ｐｒｉｍａｒｙ）共通制御物理チャネルの受信信号コード電力（Ｃｏｍｍｏｎ  Ｃｏｎｔｒｏｌ  Ｐｈｙｓｉｃａｌ  Ｃｈａｎｎｅｌ  Ｒｅｃｅｉｖｅｄ  Ｓｉｇｎａｌ  Ｃｏｄｅ  Ｐｏｗｅｒ、以下ＣＣＰＣＨ  ＲＳＣＰと略称）、及び/又はタイムスロット（Ｔｉｍｅｓｌｏｔ）信号コード電力干渉（Ｉｎｔｅｒｆｅｒｅｎｃｅ  ｏｎ  Ｓｉｇｎａｌ  Ｃｏｄｅ  Ｐｏｗｅｒ、以下ＩＳＣＰと略称）パスロス（Ｐａｔｈｌｏｓｓ）等の中の少なくとも一つを含むことができる。
【００３３】
図１に示すように、ステップＳ１０６を実施する時、最長時間をタイマーで計測して達したか否かを判定することができる。即ち、ＵＥによるＡＮＲ測定は、ユーザ機器がＡＮＲ測定を行う場合、ＡＮＲ測定配置メッセージを受信した後、タイマーを作動させ、その中、タイマーの時間長さが配置メッセージ中のＵＥが測定する最長時間であることと、ＵＥが通知メッセージに含まれた測定した物理量を測定して測定結果を保存することに従って行われる。
【００３４】
本発明の実施例に提供されるＵＥの測定を制御する方法をさらに明確に説明するため、他の角度から該方法を説明する。そのプロセスは図２に示し、以下のステップＳ２０２〜Ｓ２０４を含む。
ステップＳ２０２において、無線ネットワークコントローラがユーザ機器へＡＮＲ測定配置メッセージを送信する。
【００３５】
当該ステップは、無線ネットワークコントローラ（Ｒａｄｉｏ  Ｎｅｔｗｏｒｋ  Ｃｏｎｔｒｏｌｌｅｒ、以下ＲＮＣと略称）がＡＮＲ測定配置メッセージにＵＥが測定する最長時間を携帯して上記ユーザ機器へＡＮＲ測定を通知することができる。
また、ＡＮＲ測定配置メッセージに測定した物理量を含むことができる。
【００３６】
なかには、上記測定した物理量が、共通パイロットチャネルチップエネルギーと帯域制限白色雑音電力スペクトル密度との比（Ｃｏｍｍｏｎ  Ｐｉｌｏｔ  Ｃｈａｎｎｅｌ  Ｅｎｅｒｇｙ  ｐｅｒ  ｃｈｉｐ  Ｎｏｉｓｅ  Ｒａｔｉｏ、以下ＣＰＩＣＨ  Ｅｃ/ＮＯと略称）、及び/又は共通パイロットチャネルの受信信号コード電力（Ｃｏｍｍｏｎ  Ｐｉｌｏｔ  Ｃｈａｎｎｅｌ  Ｒｅｃｅｉｖｅｄ  Ｓｉｇｎａｌ  Ｃｏｄｅ  Ｐｏｗｅｒ、以下ＣＰＩＣＨ  ＲＳＣＰと略称）、及び/又はメイン（Ｐｒｉｍａｒｙ）共通制御物理チャネルの受信信号コード電力（Ｃｏｍｍｏｎ  Ｃｏｎｔｒｏｌ  Ｐｈｙｓｉｃａｌ  Ｃｈａｎｎｅｌ  Ｒｅｃｅｉｖｅｄ  Ｓｉｇｎａｌ  Ｃｏｄｅ  Ｐｏｗｅｒ、以下ＣＣＰＣＨ  ＲＳＣＰと略称）、及び/又はタイムスロット（Ｔｉｍｅｓｌｏｔ）信号コード電力干渉（Ｉｎｔｅｒｆｅｒｅｎｃｅ  ｏｎ  Ｓｉｇｎａｌ  Ｃｏｄｅ  Ｐｏｗｅｒ、以下ＩＳＣＰと略称）パスロス（Ｐａｔｈｌｏｓｓ）等を含むことができる。
ステップＳ２０４において、ユーザ機器は、ＡＮＲ測定配置メッセージを受信した後、ＡＮＲ測定を行って、測定結果を保存する。
【００３７】
ユーザ機器がＡＮＲ測定を行う場合、具体的に、ＡＮＲ測定配置メッセージを受信した後、タイマーを作動させ、その中、タイマーの時間長さが配置メッセージ中のＵＥが測定する最長時間であることと、ＵＥは通知メッセージに含まれた測定物理量を測定し、測定結果を保存することを含む。
【００３８】
ＵＥがネットワーク側から送信されたＡＮＲ要求メッセージを受信した場合、測定通知し、保存していた測定結果を削除する。又は、タイマーの時間を越えると、測定通知して、保存していた測定結果を削除する。そして、測定を停止する。無線ネットワークコントローラがＵＥによるＡＮＲ測定メッセージを再び必要とする場合、ＡＮＲ測定配置メッセージを再度送信しなければならない。
図３は、本発明の実施例に係わるＵＥによる測定通知を制御した第３の角度からの方法を示すフローチャートで、以下のステップＳ３０２〜Ｓ３０４を含む。
ステップＳ３０２において、無線ネットワークコントローラは、ユーザ機器にＡＮＲ測定配置メッセージを送信する。
【００３９】
当該ステップは、無線ネットワークコントローラ（ＲＮＣ）がＡＮＲ測定配置メッセージにＵＥが測定する最長時間を携帯して上記ユーザ機器へＡＮＲ測定を通知することができる。
また、通知メッセージに測定した物理量を含むことができる。
【００４０】
なかには、上記測定した物理量が、共通パイロットチャネルチップエネルギーと帯域制限白色雑音電力スペクトル密度との比（Ｃｏｍｍｏｎ  Ｐｉｌｏｔ  Ｃｈａｎｎｅｌ  Ｅｎｅｒｇｙ  ｐｅｒ  ｃｈｉｐ  Ｎｏｉｓｅ  Ｒａｔｉｏ、以下ＣＰＩＣＨ  Ｅｃ/ＮＯと略称）、及び/又は共通パイロットチャネルの受信信号コード電力（Ｃｏｍｍｏｎ  Ｐｉｌｏｔ  Ｃｈａｎｎｅｌ  Ｒｅｃｅｉｖｅｄ  Ｓｉｇｎａｌ  Ｃｏｄｅ  Ｐｏｗｅｒ、以下ＣＰＩＣＨ  ＲＳＣＰと略称）、及び/又はメイン（Ｐｒｉｍａｒｙ）共通制御物理チャネルの受信信号コード電力（Ｃｏｍｍｏｎ  Ｃｏｎｔｒｏｌ  Ｐｈｙｓｉｃａｌ  Ｃｈａｎｎｅｌ  Ｒｅｃｅｉｖｅｄ  Ｓｉｇｎａｌ  Ｃｏｄｅ  Ｐｏｗｅｒ、以下ＣＣＰＣＨ  ＲＳＣＰと略称）、及び/又はタイムスロット（Ｔｉｍｅｓｌｏｔ）信号コード電力干渉（Ｉｎｔｅｒｆｅｒｅｎｃｅ  ｏｎ  Ｓｉｇｎａｌ  Ｃｏｄｅ  Ｐｏｗｅｒ、以下ＩＳＣＰと略称）パスロス（Ｐａｔｈｌｏｓｓ）等を含むことができる。
【００４１】
ステップＳ３０４において、ユーザ機器は、通知メッセージを受信した後、タイマーを作動させ、その中、タイマーの時間長さが配置メッセージ中のＵＥの測定の最長時間である。ＵＥは、通知メッセージに含まれた測定物理量を測定し、条件を満たす測定結果の保存がなく、タイマーの時間を越えた時、ユーザ機器は直接測定を停止する。
無線ネットワークコントローラがＵＥによるＡＮＲ測定メッセージを再び必要とする場合、ＡＮＲ測定配置メッセージを再度送信しなければならない。
【００４２】
図４は、本発明の無線ネットワークコントローラがＵＥが通知したＡＮＲ測定報告を受信した第１実施例を示すフローチャートで、図４に示すように、以下のステップＳ４０２〜Ｓ４０4を含む。
ステップＳ４０２において、ＲＮＣは、ＵＥのＡＮＲ測定報告を受信した後、隣接セル更新を判断する。
【００４３】
その判断方法は、ＵＥのＡＮＲ測定報告中のセル情報に基づいて統計し、通知したセル情報が一定の回数に達した場合、当該セルを隣接セルとして配置することによって行われる。
ステップＳ４０４において、ＲＮＣは、結果をアドミニストレータに送信し、隣接セルを自動に更新する。
【００４４】
図５は、本発明の無線ネットワークコントローラがＵＥが通知したＡＮＲ測定報告を受信する第２実施例を示すフローチャートで、図５に示すように、以下のステップＳ５０２〜Ｓ５０４を含む。
ステップＳ５０２において、ＲＮＣは、ＵＥのＡＮＲ測定報告を受信した後、結果をアドミニストレータに送信する。
ステップＳ５０４において、アドミニストレータは、隣接セルの更新を判断し、自動に更新する。
【００４５】
その判断方法は、ＲＮＣから送信された結果に基づいて統計し、通知したセル情報が一定の回数に達していると、当該セルを隣接セルとして配置することによって行われる。
【００４６】
本発明の実施例において、ＵＥが保存していた測定結果及びＡＮＲ測定配置メッセージを削除した後、無線ネットワークコントローラは、ＵＥがＡＮＲ測定を再び行う必要があると確定した場合、ＵＥへ、ＵＥが今回ＡＮＲ測定を行う最長時間を携帯するＡＮＲ測定配置メッセージを再度送信する。
【００４７】
上記の本発明の実施例によると、無線ネットワークコントローラがユーザ機器へＡＮＲ測定を通知し、ユーザ機器がＡＮＲ測定を行って測定結果を通知する。本発明の実施例によると、ユーザ機器がＡＮＲ測定を行った後測定結果をネットワーク側へ通知することによって、ネットワーク側のユーザ機器の隣接セル情報の取得能力を向上できる。また、ネットワーク側がユーザ機器が通知した測定結果に基づいて、隣接セルを更新し、当該測定方案を満たさないユーザ機器に測定制御メッセージを送信する際に更新後の隣接セルリストを利用する。よって、関連のあるユーザ機器の好適なセルへの早速の切り替えを保証し、ユーザ機器の通話連続性を保証する。
【００４８】
本発明は、図６に示すように、さらに、少なくとも無線ネットワークコントローラ６０１とユーザ機器６０２とを含むＵＥ６０２の測定を制御するシステムであって、無線ネットワークコントローラ６０１は、ユーザ機器６０２へＡＮＲ測定配置メッセージを送信し、ユーザ機器６０２へＡＮＲ測定を通知するように構成され、ユーザ機器６０２は、無線ネットワークコントローラ６０１からの通知を受信してＡＮＲ測定を行って、測定結果を通知するように構成されるＵＥ６０２の測定を制御するシステムを提供する。
なかには、無線ネットワークコントローラ６０１が、ＡＮＲ測定配置メッセージにＵＥ６０２が測定する最長時間を携帯するように構成されることができる。
無線ネットワークコントローラ６０１は、通知メッセージに測定した物理量を携帯するように構成されることもできる。
【００４９】
ユーザ機器６０２は、無線ネットワークコントローラ６０１からのＡＮＲ測定配置メッセージを受信し、メッセージに含まれた測定物理量を測定し、タイマーの時間を越えると測定を停止し、保存していた測定結果を通知するように構成されることができる。
【００５０】
無線ネットワークコントローラ６０１は、ユーザ機器６０２が通知した測定結果に基づいて、システムが保つ隣接セル情報を更新するように構成されることもできる。
【００５１】
同一の発明構想に基づいて、本発明の実施例は、図６に示すように、さらに、無線ネットワークコントローラ６０１とＵＥ６０２とを含むＵＥ６０２の測定を制御するシステムであって、無線ネットワークコントローラ６０１は、ＵＥ６０２がＡＮＲ測定を行う最長時間を携帯したＡＮＲ測定配置メッセージをＵＥ６０２へ送信するように構成され、ＵＥ６０２は、ＡＮＲ測定配置メッセージを受信してＡＮＲ測定を行うと共に測定時間を計測し、測定結果を保存し、測定時間が最長時間に達した場合、保存していた測定結果及びＡＮＲ測定配置メッセージを削除するように構成される他のＵＥ６０２の測定を制御するシステムを提供する。
一実施例において、ＵＥ６０２が、取得した測定結果を無線ネットワークコントローラ６０１へ通知するように構成されることが好ましい。
一実施例において、無線ネットワークコントローラ６０１が測定結果に基づいて隣接セル配置を更新することが好ましい。
【００５２】
一実施例において、無線ネットワークコントローラ６０１が、測定結果を解析し、測定結果に含まれるセルのセル情報通知回数が設定された回数に達した場合、当該セルを隣接セルとして配置することが好ましい。
【００５３】
一実施例において、上記システムが、更新後の隣接セル配置に基づいて信号が該セル信号より良好な他のセルに切り替えする該セル内の他のＵＥをさらに含むことが好ましい。
【００５４】
一実施例において、無線ネットワークコントローラ６０１が、ＵＥ６０２が再びＡＮＲ測定を行う必要があると確定した場合、ＵＥ６０２へ今回のＵＥ６０２がＡＮＲ測定を行う最長時間を携帯したＡＮＲ測定配置メッセージを再度送信することが好ましい。
【００５５】
同一の発明構想に基づいて、図７に示すように、本発明の実施例は、さらに、ＵＥがＡＮＲ測定を行う最長時間を携帯したＡＮＲ測定配置メッセージを生成する生成モジュール７０１と、ＵＥへＡＮＲ測定配置メッセージを送信する送信モジュール７０２と、を含む無線ネットワークコントローラを提供する。。
【００５６】
同一の発明構想に基づいて、図８に示すように、本発明の実施例は、さらに、無線ネットワークコントローラから送信されたＵＥがＡＮＲ測定を行う最長時間を携帯したＡＮＲ測定配置メッセージを受信してＡＮＲ測定を行うと共に測定時間を計測し、測定結果を保存する受信モジュール８０１と、測定時間が最長時間に達した場合、保存していた測定結果及びＡＮＲ測定配置メッセージを削除する削除モジュール８０２と、を含むＵＥを提供する。
図９は、本発明の実施例に係わるユーザ機器の測定を制御する方法の第４の処理を示すフローチャートで、具体的に以下のステップＳ９０２〜Ｓ９０６を含む。
ステップＳ９０２において、無線ネットワークコントローラは、ＵＥがＡＮＲ測定を行う最長時間を携帯したＡＮＲ測定配置メッセージをＵＥへ送信する。
ステップＳ９０４において、ＵＥは、ＡＮＲ測定配置メッセージを受信し、ＡＮＲ測定を行って測定時間を計測し、測定結果を保存する。
ステップＳ９０６において、測定時間が最長時間に達した場合、ＵＥは、ＡＮＲ測定配置情報を削除する。
【００５７】
図１０は、本発明の実施例に係わるユーザ機器の測定を制御する方法の第５の処理を示すフローチャートで、具体的に以下のステップＳ１００２〜Ｓ１００６を含む。
ステップＳ１００２において、無線ネットワークコントローラは、ＵＥがＡＮＲ測定を行う最長時間を携帯したＡＮＲ測定配置メッセージをＵＥへ送信する。
ステップＳ１００４において、ＵＥは、ＡＮＲ測定配置メッセージを受信し、ＡＮＲ測定を行って測定時間を計測し、測定結果を保存する。
ステップＳ１００６において、測定時間が最長時間に達した場合、ＵＥは測定を停止し、測定結果を一定時間、例えば４８時間保存する。
【００５８】
実施する際、ＵＥが測定結果を保存した後に測定結果を通知するのをさまざまな形態で実施することができる。例えば、測定結果を即時に通知することができれば、ランダムの時間間隔をあけて測定結果を通知することもでき、また、定期的に通知することもできる。なかには、周期的に通知することが好ましい。適切な周期長を選択することによって測定結果を精確に取得することができる。実施する際、無線コントローラが、ＵＥへ周期的な通知を指示する測定通知方式をＡＮＲ測定配置メッセージに携帯する。ＵＥがＡＮＲ測定配置メッセージを受信した後、無線コントローラが指示した周期的に通知する測定通知方式で、周期的に測定結果を通知する。
【００５９】
無線コントローラがＵＥへ指示した周期的に通知する測定通知方式は、ＡＮＲ測定配置メッセージにその値が周期的通知を取る信号エレメントを携帯すると同時に通知周期長さを含む信号エレメントを携帯し、又は、ＡＮＲ測定配置メッセージに通知周期の長さを含む信号エレメントを携帯することを含む。ＵＥが測定結果を二回通知する間の間隔の長さは、設定された通知周期の長さである。
【００６０】
実施する際、測定結果を付加測定報告又は無線リソース制御（Ｒａｄｉｏ  Ｒｅｓｏｕｒｃｅ  Ｃｏｎｔｒｏｌ、以下ＲＲＣと略称）メッセージに携帯して通知し、その中、ＲＲＣメッセージは、初期直接伝送メッセージと、測定報告と、無線ネットワーク制御接続要求メッセージと、アップリンク直接伝送メッセージと、セル更新メッセージの中の一つである。
【００６１】
本発明の実施例において、ＵＥはＡＮＲ測定配置メッセージを受信し、ＡＮＲ測定を行うと共に測定時間を計測し、そして、長い時間測定しても条件に合う情報がない場合、測定時間が最長時間に達すると、保存していた測定結果及びＡＮＲ測定配置メッセージを削除して今回の測定を終了する。よって、ＵＥがずっと測定状態でソースを浪費してしまうことを避けることができるという有益な効果を実現できる。
【００６２】
当業者にとって、上記の本発明の各ブロック又は各ステップは共通の計算装置によって実現することができ、単独の計算装置に集中させることができれば、複数の計算装置から構成されるネットワークに分布させることもでき、さらに計算装置が実行可能なプログラムのコードによって実現することもできるので、それらを記憶装置に記憶させて計算装置によって実行することができ、又は夫々集積回路ブロックに製作し、又はそれらにおける複数のブロック又はステップを単独の集積回路ブロックに製作して実現することができることは明らかなことである。このように、本発明は如何なる特定のハードウェアとソフトウェアの結合にも限定されない。
【００６３】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【符号の説明】
【００６４】
６０１  無線ネットワークコントローラ
６０２  ユーザ機器
７０１  生成モジュール
７０２  送信モジュール
８０１  受信モジュール
８０２  削除モジュール
【図１】
2014506090.tif 000003
【図２】
2014506090.tif 000004
【図３】
2014506090.tif 000005
【図４】
2014506090.tif 000006
【図５】
2014506090.tif 000007
【図６】
2014506090.tif 000008
【図７】
2014506090.tif 000009
【図８】
2014506090.tif 000010
【図９】
2014506090.tif 000011
【図１０】
2014506090.tif 000012
【国際調査報告】
2014506090.tif 000013
2014506090.tif 000014
2014506090.tif 000015
2014506090.tif 000016